(57)【要約】      （修正有）【課題】取り扱い易い螺旋状の自然薯を得る。【解決手段】土中に定植した種芋２１における発芽点２３の下方には円板状部１７ａの周縁に周壁部１７ｂを形成してなる案内皿１７を配設し、該発芽点から下方に伸びる新生芋２５の先端２５ａを該案内皿における円板状部の上面から周壁部の内面に案内すると共に該周壁部の内面に沿って円周方向に案内することにより、新生芋を螺旋状に生育させるようにしたことを特徴とする自然薯の栽培方法。上下両端１１ａ１１ｂを開口すると共に上端付近にツル出し用透孔１３を備えた略截頭中空円錐状の土保持体１１と、該土保持体の上端に対し着脱自在の蓋１５と、円板状部１７ａの周縁に周壁部１７ｂを形成してなる案内皿１７とよりなる自然薯の栽培装置。【選択図】図３
2005224206.tif 000002
【特許請求の範囲】
【請求項１】
土中に定植した種芋における発芽点の下方には円板状部の周縁に周壁部を形成してなる案内皿を配設し、該発芽点から下方に伸びる新生芋の先端を該案内皿における円板状部の上面から周壁部の内面に案内すると共に該周壁部の内面に沿って円周方向に案内することにより、新生芋を螺旋状に生育させるようにしたことを特徴とする自然薯の栽培方法。
【請求項２】
上下両端を開口すると共に上端付近にツル出し用透孔を備えた略截頭中空円錐状の土保持体と、該土保持体の上端に対し着脱自在の蓋と、円板状部の周縁に周壁部を形成してなる案内皿とよりなる自然薯の栽培装置。
【発明の詳細な説明】
【技術分野】
【０００１】
本発明は、自然薯の栽培方法及び栽培装置に関するものである。
【背景技術】
【０００２】
近年、天然の自然薯の収穫は少なく、市場で販売されている自然薯の大部分は人工的に栽培されたものである。自然薯の人工栽培においては、例えば特開平１１−７５５３３号公報に示すように、一般に用土を入れた直線状の円筒体を埋設し、該円筒体の上方に種芋を植え付けるという方法が採られている。
【０００３】
天然に生育した自然薯はもとより、上記の方法による人工栽培において得られる自然薯も略直線状の棒状体である。天然に生育した自然薯の一例を図７に示す。
【０００４】
因みに、図７において、符号１に示すものは種芋、符号３は新生芋、符号５は吸収根、符号７はツル、符号９は発芽点である。
【特許文献１】特開平１１−７５５３３号公報
【発明の開示】
【発明が解決しようとする課題】
【０００５】
天然の自然薯（図７における符号３に示す新生芋）及び従来の人工栽培による自然薯は、長いもので約１４０ｃｍにも及ぶ長さを有する略直線状の棒状体であるため、植え付け作業や収穫作業が困難である。
【０００６】
また、天然の自然薯及び従来の人工栽培による自然薯は、略直線状の長い棒状体であるため、運搬、取り扱い、保管等が面倒であり、折損するおそれもある。従って、これらの自然薯は、しばしば、予め一定の長さに切断した状態で、運搬、展示、販売、保管等が行なわれている。
【０００７】
しかしながら、自然薯を上述の如く切断した場合には、切断端から傷みが生ずるという問題がある。
【０００８】
本発明は、上記従来の自然薯における上述の如き問題を解決しようとしてなされたものである。
【課題を解決するための手段】
【０００９】
上記従来の自然薯における上述の如き問題は、自然薯が略直線状の長い棒状体であることに起因するものである。そこで、本発明者は、自然薯を螺旋状に成育させることに想到した。
【００１０】
即ち、本発明は、上記課題を解決するために、下記の自然薯の栽培方法及び栽培装置を提供するものである。
【００１１】
（１）土中に定植した種芋における発芽点の下方には円板状部の周縁に周壁部を形成してなる案内皿を配設し、該発芽点から下方に伸びる新生芋の先端を該案内皿における円板状部の上面から周壁部の内面に案内すると共に該周壁部の内面に沿って円周方向に案内することにより、新生芋を螺旋状に生育させるようにしたことを特徴とする自然薯の栽培方法（請求項１）。
【００１２】
（２）上下両端を開口すると共に上端付近にツル出し用透孔を備えた略截頭中空円錐状の土保持体と、該土保持体の上端に対し着脱自在の蓋と、円板状部の周縁に周壁部を形成してなる案内皿とよりなる自然薯の栽培装置（請求項２）。
【００１３】
なお、本出願における「螺旋状」は、略螺線状のみならず、略渦巻状をも含むものとする。
【００１４】
［発明の作用］
［請求項１の発明］
新生芋は常に種芋の発芽点から下方に伸びる。該発芽点から下方に伸びる新生芋の先端（符号２５ａ参照）は、該発芽点の下方に配設された案内皿における円板状部の上面に接触し、該円板状部の上面に沿って周壁部方向に伸び、該周壁部の内面に接触する。続いて、新生芋の先端は周壁部の内面に沿って円周方向に伸びる。図４、図５参照。その結果、新生芋は図１、図２に示す如く、螺旋状に形成される。
【００１５】
なお、新生芋における発芽点近傍部（符号２５ｂ参照）は、生育時には上下方向に位置するのであるが、該発芽点近傍部は細くて可撓性を有するため、収穫後にこれを新生芋における他の部分と同様に螺旋状に変形させることにより新生芋全体をほぼ螺旋状になすことができる。図１、図２における鎖線参照。
【００１６】
［請求項２の発明］
略截頭中空円錐状の土保持体内には土を入れ、該土中に種芋を定植する。土中における種芋の発芽点の下方に案内皿を配設する。案内皿の作用は前述の通りである。蓋は雨よけであり、蓋を土保持体の上端に被せることにより雨水が土保持体の上端から土保持体内に入り案内皿内に溜まることを防止する。水が案内皿内に溜まると、新生芋が案内皿内で蛇行し若しくは腐るおそれがある。土保持体内でツルが伸びたときには、土保持体の上端から蓋を外し、ツルを土保持体のツル出し用透孔を通して土保持体の外方に導出し、蓋を再び土保持体の上端に被せる。図３参照。
【発明の効果】
【００１７】
本発明によれば、螺旋状の自然薯が得られる。螺旋状の自然薯は、嵩張らないため、運搬、展示、販売、保管等が容易であり、傷も付きにくい。また、螺旋状の自然薯は、嵩張らないため、運搬、展示、販売、保管等の便宜のために予め切断する必要はない。従って、切断端から傷みが生ずるという問題も生じない。更に、螺旋状の自然薯は掘り取り、植え付け等が容易である。加えて、螺旋状の自然薯はコンパクトであるため、例えば真空包装した状態で冷蔵庫にて長期間保存することも容易である。
【発明を実施するための最良の形態】
【００１８】
まず、自然薯の栽培装置について、添付図面に従って説明する。
【００１９】
自然薯の栽培装置は、土保持体１１と蓋１５と案内皿１７とよりなるものである。土保持体１１と蓋１５と案内皿１７とは、塩化ビニル等の合成樹脂、陶器、磁器その他材質の如何を問わない。
【００２０】
土保持体１１は上端１１ａと下端１１ｂとを開口した中空の略截頭円錐状体である。
【００２１】
土保持体１１には上端１１ａ付近にツル出し用透孔１３を備えさせる。
【００２２】
蓋１５は、土保持体１１の上端１１ａに対し着脱自在である。
【００２３】
符号１７に示すものは、案内皿である。案内皿１７は、円板状部１７ａの周縁に周壁部１７ｂを形成してなるものである。
【００２４】
次に、上記栽培装置を用いた自然薯の栽培方法について説明する。
【００２５】
案内皿１７を土中に埋設し、例えば熱により殺菌した土１９を土保持体１１内に入れた状態で該土保持体１１を案内皿１７上方の地面に固定し、該土保持体１１内の土中に種芋２１を定植する。このとき、種芋２１における発芽点２３の下方に案内皿１７が位置するようになす。土保持体１１の上端１１ａに蓋１５を被せる。
【００２６】
新生芋２５は種芋２１の発芽点２３から下方に伸びるのであるが、該新生芋２５の先端２５ａを案内皿１７における円板状部１７ａの上面から周壁部１７ｂの内面に案内すると共に該周壁部１７ｂの内面に沿って円周方向に案内することにより、新生芋２５を螺旋状に生育させる。図４、図５参照。なお、土保持体１１内でツル２７が伸びたときには、土保持体１１の上端１１ａから蓋１５を外し、ツル２７を土保持体１１のツル出し用透孔１３を通して土保持体１１の外方に導出し、蓋１５を再び土保持体１１の上端１１ａに被せる。
【００２７】
図３における符号２９に示すものは吸収根である。
【００２８】
螺旋状に形成された自然薯の新生芋２５を図１、図２に示す。
【図面の簡単な説明】
【００２９】
【図１】螺旋状に形成された自然薯の新生芋の一例を示す斜視図である。
【図２】螺旋状に形成された自然薯の新生芋の別の一例を示す斜視図である。
【図３】自然薯の栽培装置の使用状態を示す断面図である。
【図４】新生芋が案内皿により案内されている状態を示す平面図である。
【図５】新生芋が案内皿により案内されている状態を示す断面図である。
【図６】自然薯の栽培装置を示す斜視図である。
【図７】天然に生育した自然薯の一例を示す正面図である。
【符号の説明】
【００３０】
１  種芋
３  新生芋
５  吸収根
７  ツル
９  発芽点
１１  土保持体
１１ａ  上端
１１ｂ  下端
１３  ツル出し用透孔
１５  蓋
１７  案内皿
１７ａ  円板状部
１７ｂ  周壁部
１９  土
２１  種芋
２３  発芽点
２５  新生芋
２５ａ  先端
２５ｂ  発芽点近傍部
２７  ツル
２９  吸収根
【図１】
2005224206.tif 000003
【図２】
2005224206.tif 000004
【図３】
2005224206.tif 000005
【図４】
2005224206.tif 000006
【図５】
2005224206.tif 000007
【図６】
2005224206.tif 000008
【図７】
2005224206.tif 000009